(57)【要約】【課題】シュリンクフィルムを筒状にするためにフィルム端面の貼着の検認が容易で、人体に有害な溶剤を塗布しない筒状シュリンク材の製造方法を提供する。【解決手段】帯状のシュリンクフィルム１０の長手方向における一端側から徐々にシュリンクフィルム１０の幅方向における一端にシュリンクフィルム１０の幅方向における他端が被さるように、シュリンクフィルム１０をシュリンクフィルム１０の長手方向における一端側から徐々にシュリンクフィルム１０の幅方向に向けて丸める。丸められたシュリンクフィルム１０の幅方向における一端および他端において対向した面のうちの少なくとも一方の面に塗工部材による粘着剤の直接塗工により粘着剤層を形成した後、丸められたシュリンクフィルム１０の幅方向における一端および他端において対向した面を粘着剤層で連結して筒状にシュリンクフィルム１０を形成する。【選択図】図１
2006076661.tif 000002
【特許請求の範囲】
【請求項１】
帯状のシュリンクフィルムの長手方向における一端側から徐々に前記シュリンクフィルムの幅方向における一端に前記シュリンクフィルムの幅方向における他端が被さるように、前記シュリンクフィルムを前記シュリンクフィルムの長手方向における一端側から徐々に前記シュリンクフィルムの幅方向に向けて丸め、
前記丸められたシュリンクフィルムの幅方向における一端および他端において対向した面のうちの少なくとも一方の面に塗工部材による粘着剤の直接塗工により粘着剤層を形成した後、前記丸められたシュリンクフィルムの幅方向における一端および他端において対向した面を前記粘着剤層で連結して筒状にシュリンクフィルムを形成することを特徴とする、筒状シュリンク材の製造方法。
【発明の詳細な説明】
【技術分野】
【０００１】
本発明は、ラベルや包装材等に使用される筒状シュリンク材の製造方法に関する。
【背景技術】
【０００２】
従来、筒状のシュリンクフィルムにあっては、シュリンクフィルムの一端に溶剤を塗布することによりシュリンクフィルムを溶解し、シュリンクフィルムが溶解した部分にシュリンクフィルムの他端を貼着することにより、筒状フィルムとしていた（特許文献１参照）。
【０００３】
【特許文献１】特開平６−４７８１１号公報
【発明の開示】
【発明が解決しようとする課題】
【０００４】
然るに、シュリンクフィルムを溶解するために用いられる溶剤は、たとえば、ノルマルヘキサン、シクロヘキサン、トルエン，酢酸エチル、テトラヒドロフラン、メチルエチルケトン、アセトン、ジオキソラン、イソプロパノール、エタノール、メタノール等無色透明の液体であり、溶剤が透明であることから、溶剤の塗布が確実に行われたか否かの検認が困難であった。従って、溶剤が確実・完全に塗布されていない筒状シュリンクフィルムにあっては、はがれ落ちてしまうという問題が起こっていた。また、はがれ落ちなくても、貼着されていない部分と貼着された部分との収縮が異なるため、品物を包装し、フィルムを収縮させた場合に凹凸状の収縮部を形成するという問題が生じていた。
【０００５】
また、溶剤を塗布して筒状シュリンクフィルムを形成するには、エージング（熟成）を必要とするために、筒状シュリンクフィルムの形成に時間を要するという問題も生じていた。すなわち、長い筒状のシュリンクフィルムをロール状の巻回体とし、これをエージングしたのち、巻回体を巻き戻しスリーブ状（筒状）シュリンクラベルやＲシールタイプのシュリンクラベル等を作製していた。このように、オンラインでシュリンクラベルを製造できないということは、生産上の大きな課題である。
【０００６】
さらに、塗布される溶剤は濃度によっては人体の健康を害するものが多く、エージング時には換気等を行い作業環境を維持しなければならないという問題もあった。さらにまた、シュリンクラベルが用いられたビンやカン等を回収するとき、分別回収の便に供するため、シュリンクラベルの使用目的によっては、従来の溶剤を塗布して製造したシュリンクラベルにはミシン目を入れる必要があった。
そこで、鋭意研究の結果、本発明者は、かかる問題を解決する本発明に到達したものであり、本発明は、シュリンクフィルムを筒状にするためにフィルム端面の貼着の検認が容易で、人体に有害な溶剤を塗布しない筒状シュリンク材の製造方法を提供することを目的とする。
【課題を解決するための手段】
【０００７】
この発明の請求項１に記載の筒状シュリンク材の製造方法は、帯状のシュリンクフィルムの長手方向における一端側から徐々にシュリンクフィルムの幅方向における一端にシュリンクフィルムの幅方向における他端が被さるように、シュリンクフィルムをシュリンクフィルムの長手方向における一端側から徐々にシュリンクフィルムの幅方向に向けて丸め、丸められたシュリンクフィルムの幅方向における一端および他端において対向した面のうちの少なくとも一方の面に塗工部材による粘着剤の直接塗工により粘着剤層を形成した後、丸められたシュリンクフィルムの幅方向における一端および他端において対向した面を粘着剤層で連結して筒状にシュリンクフィルムを形成することを特徴とする、筒状シュリンク材の製造方法である。
【発明の効果】
【０００８】
この発明によれば、シュリンクフィルムを筒状にするために端面の貼着の検認が容易で、人体に有害な溶剤を塗布しない筒状シュリンク材の製造方法を得ることができる。
【０００９】
この発明の上述の目的，その他の目的，特徴および利点は、図面を参照して行う以下の発明を実施するための最良の形態の説明から一層明らかになろう。
【発明を実施するための最良の形態】
【００１０】
この発明の実施の形態は、シュリンクフィルムが確実に貼着されて筒状に形成されていることの検認が容易で、シュリンクフィルムの少なくとも一端に人体に有害な溶剤を塗布しない粘着部を設け、他端部を粘着部に貼着して筒状に形成されることを特徴とする筒状シュリンク材の製造方法である。
【００１１】
図１は、筒状シュリンクフィルムを製造する過程を示す斜視図解図である。図２は、図１図示筒状シュリンクフィルムを用いた利用方法を示す図解図である。
まず、シュリンクフィルム１０を準備し、シュリンクフィルム１０を長手方向に巻き戻し、徐々にその径が細くなるジグ１０１に挿入して、略Ｕ字状になるようにシュリンクフィルム１０を丸める。
次に、シュリンクフィルム１０の一端に、シュリンクフィルム１０の長手方向端縁に沿って、一定の幅で粘着剤１２ａを、塗布機（塗工部材）１０２にて帯状に塗布（塗工）する。粘着剤を塗布してなる粘着部は、シュリンクフィルム１０のどちらか一方の一端に形成すれば十分であるが、その両端に形成してもよい。さらに、シュリンクフィルム１０に塗布された粘着剤層１２に、シュリンクフィルム１０の他端近傍を重ね合わせ、粘着剤層１２の粘着力によってシュリンクフィルム１０の一端と他端を連結し、筒状シュリンクフィルム１４を形成する。
【００１２】
次いで、筒状シュリンクフィルム１４から一定の長さを有するスリーブ状（筒状）シュリンクラベル１６（図２図示）に成形するには、目的とするスリーブ状（筒状）シュリンクラベル１６の長さに対応して、図１に示すように、長手方向に送られてくる筒状シュリンクフィルム１４を切断することにより、所定形状に成形する。
【００１３】
また、Ｒシールタイプのシュリンクラベル１８（図４図示）を形成するには、図３に示すように、前記した成形方法と同様な方法により成形された筒状シュリンクフィルム１４の頭部を細長い円錐形等に成形するために、熱圧着等の方法により、Ｕ字状加工部２０をシーリング処理をする。
さらに、Ｒシールタイプのシュリンクラベル１８の下端を直線状に形成するために、シュリンクフィルム１０を下部加工部２２で幅方向に切断する。最終的には、頭部加工部２４で切断し不要なＵ字状加工部２０を除去部として切り離すことになる。すなわち、先に進んでいる他のＲシールタイプのシュリンクラベル１８の下端を形成するために切断された部分と、後から進んでくるＲシールタイプのシュリンクラベル１８の頭部との間のＵ字状加工部２０を捨てる。
【００１４】
さらに、プレフォームシュリンクラベル２６（図５図示）を形成するには、前記スリーブ状シュリンクラベル１６（図２図示）をまず形成した後、截頭円錐状型１０３にかぶせ、スリーブ状シュリンクラベル１６を予備的に熱収縮させるプレシュリンクを行い、上端縁近傍を截頭円錐状型１０３の頭部において内側に折れ曲がった形状とする。
もちろん、従来どおり、長い筒状シュリンクフィルム１４を一旦ロール状に巻き取り巻回体としたのち、後の加工工程においてそれを巻き戻し、目的とするスリーブ状（筒状）シュリンクラベル１６，Ｒシールタイプのシュリンクラベル１８，プレフォームタイプのシュリンクラベル２６を形成してもよい。
【００１５】
シュリンクフィルムとしては、一軸延伸された、ポリビニルクロライド、ポリエチレンテレフタレート、ポリスチレン、ポリプロピレン等が主として用いられる。一部、二軸延伸されたポリビニルクロライド、ポリエチレンテレフタレート、ポリスチレン、ポリプロピレン等が用いられる。
【００１６】
シュリンクフィルムの一端と他端とを貼着する粘着部としては、前記粘着剤の塗布のほか、両面粘着テープが用いられる。両面粘着テープの基材としては、ポリエチレンテレフタレート、ポリプロピレン等が、基材に塗工される粘着剤としては、ポリアクリル酸エステル系、天然ゴム系、合成ゴム系、シリコーン系等が用いられる。かかる粘着剤は溶剤を含まないか、含んでいても少量であるため、作業環境に大きな影響は及ぼさない。
【００１７】
また、両面粘着テープを使用する場合においては、その貼付位置が適正か否かの検認のみでよく、溶剤使用時のような見逃しを生じない。
かかる両面粘着テープの幅は、望ましくは１．５〜１５ｍｍ、さらに望ましくは３〜６ｍｍ、貼付位置はシュリンクフィルムの一端から１ｍｍ以内が望ましい。シュリンクフィルムの端面と両面粘着テープの端面をそろえる（貼付位置をシュリンクフィルムの一端から０ｍｍにする）ためには、両面粘着テープ貼付後、両面粘着テープを貼ったシュリンクフィルムの一端を両面粘着テープごと切り落とすとよい。テープ幅が狭くなりすぎると、貼着強度が低下する傾向にあり、テープ幅が広くなりすぎると、シュリンクのむらが起きやすくなる。また、テープの貼付位置がシュリンクフィルムの内部に入りすぎると、貼着されていないシュリンクフィルムの端部において縮みしわが目立つようになるおそれがある。
両面粘着テープを貼付することは、両面粘着テープが切断しない限り、両面粘着テープは確実に貼付され、また、両面粘着テープが厚みをもつため、無色透明の溶剤に比べ、接着を行う材料のシュリンクフィルム上における存在の検認は容易であるという効果がある。両面粘着テープに文字等をあらかじめ記入しておけば、検認はさらに容易になる。
【００１８】
両面粘着テープではなく、粘着剤をシュリンクフィルムに塗工する場合においては、直接に粘着剤をシュリンクフィルムに塗工してもよく、粘着剤を押し出したのち押し拡げてもよい。ここで粘着剤としては、ポリアクリル酸エステル系、天然ゴム系、合成ゴム系、シリコーン系等が用いられる。
塗工される粘着剤は、シュリンクフィルムの一端面に約１５ｍｍ幅までが望ましく、さらに望ましくは約６ｍｍ幅までであり、少なくとも、１．５ｍｍ幅が望ましく、さらに望ましくは３ｍｍの幅に塗工する。塗工位置は、シュリンクフィルムの一端縁から１ｍｍ以内が望ましい。
塗工幅が狭くなりすぎると、貼付強度が低下する傾向にあり、塗工幅が広くなりすぎると、熱収縮のむらが起きやすくなる。また、塗工位置がシュリンクフィルムの内部に入りすぎると、粘着部で貼着されていないシュリンクフィルムの端部において縮みしわが目立つようになるおそれがある。
【００１９】
また、粘着剤による貼着においても、粘着剤塗工部は厚みを有することから、粘着剤が塗工されていることの検認が容易であるという効果をも奏する。
【００２０】
両面粘着テープ、粘着剤には有機溶剤が含まれていないが、含まれていても少ないため、筒状シュリンクフィルムの製造には作業環境の維持・向上が容易で、環境基準〔ＰＲＴＲ法「特定化学物質の環境への排出量の把握等及び管理の改善の促進に関する法律」（平成１１年７月１３日公布法律第８６号）〕をクリアすることができる。
さらに、両面粘着テープや粘着剤を用いた場合には、その貼着部において剥し易くなることから、溶剤を使用した場合のようにミシン目をいれなくても、容易にシュリンクフィルムを除去することができるという効果も奏する。また、分別回収にも好都合である。
【００２１】
この発明の実施の形態によれば、筒状のシュリンクフィルムを成形した後、エージングや巻回体として一旦巻き取った後、次工程において、その巻き戻しをするという工程をなくして、成形された筒状シュリンクフィルムから直接に目的のシュリンクラベルを製造できる。それゆえに、シュリンクラベルの生産性を著しく向上でき、シュリンクラベルがはがれ落ちる等の品質上の問題を低減できる。
【図面の簡単な説明】
【００２２】
【図１】筒状シュリンクフィルムを製造する過程を示す斜視図解図である。
【図２】図１図示筒状シュリンクフィルムを用いた利用方法を示す図解図である。
【図３】Ｒシールタイプシュリンクラベルの製造方法を示す図解図である。
【図４】図３図示Ｒシールタイプシュリンクラベルとして用いる方法を示す図解図である。
【図５】プレフォームシュリンクラベルとして用いる方法を示す図解図である。
【図６】図５図示プレフォームシュリンクラベルの製造方法を示す図解図である。
【符号の説明】
【００２３】
Ａ  被包装体
１０  シュリンクフィルム
１２  粘着剤層
１２ａ  粘着剤
１４  筒状シュリンクフィルム
１６  スリーブ状（筒状）シュリンクラベル
１８  Ｒシールタイプシュリンクラベル
２０  Ｕ字状加工部
２２  下部加工部
２４  頭部加工部
２６  プレフォームシュリンクラベル
１０１  ジグ
１０２  塗布機（塗工部材）
１０３  截頭円錐状型
【図１】
2006076661.tif 000003
【図２】
2006076661.tif 000004
【図３】
2006076661.tif 000005
【図４】
2006076661.tif 000006
【図５】
2006076661.tif 000007
【図６】
2006076661.tif 000008